(57)【要約】【課題】プラスチック製の容器に小割けされている冷やしそばなどの麺類において、麺どうしをからみにくくして、小割け部から箸でつまみ出しやすくすることで食べやすくしながらも汁を溜めておく溜まり部をも確保すること。【解決手段】容器の小割け部を形成している仕切り壁のうち、それぞれの小割け部の上から汁をかけたとき、汁を集水して溜まり部に流れ込むのを遮る仕切り壁を削除するとともに、底面を溜まり部側に向かって傾斜させることにより、汁を小割け部の麺の上からかけることで麺どうしがからみにくくなる上に、かけた汁は、傾斜に従って溜まり部に自然と流れ込んで溜まるようになる。【選択図】　　図１
2004091040.tif 000002
【特許請求の範囲】
【請求項１】
主に、プラスチック製の容器（１）に入れて販売され、汁（７）をかけるだけで食べることができるように為された、そばやうどんなどの麺（６）を、容器（１）に設けられた仕切り壁（２）で仕切って、小割け部（４）に小割けして入れておき、それぞれの小割け部（４）の上から汁（７）をかけたときに、かけた汁（７）が集水され、溜まり部（５）に溜まることを遮る仕切り壁（２）を削除する削除部（３）を設けるとともに、小割け部（４）の底面を溜まり部（５）側に向かって低く傾斜させることにより、小割け部（４）に小割けされた麺（６）の上から、汁（７）をかけた場合、一度麺（６）にかかった汁（７）のほとんどが麺（６）を通り越し、底面の傾斜に従い、仕切り壁（２）に遮られることなく、削除部（３）を通って溜まり部（５）に流れ込んで溜まるように為された食品用容器。
【発明の詳細な説明】
【０００１】
【発明の属する技術分野】
本発明は、一般的に冷やしそばとか、冷やしうどんとかと呼ばれている主にプラスチック製の容器に入れて販売され、別にパックされて添えられている汁をかけるだけで食べることができるように為された麺類食品において、容器の内側を仕切り壁で仕切って、麺を小割けしたり、汁を溜める部分を形成するとき、それぞれの小割け部の上から汁をかけたとき、かけた汁が集水されて溜まり部に流れ込むことを遮る仕切り壁を削除するとともに、容器の底面を溜まり部側に向かって低く傾斜させることにより、汁をそれぞれの小割け部の上から麺にかけるだけで自然と、汁を溜める溜まり部に溜まるように為された容器に関する。
【０００２】
【従来の技術】
従来は、ひとかたまりに小割けされた麺と麺の間は仕切り壁で仕切られ小割け部が形成されており、汁を溜める溜まり部も仕切り壁で仕切られていたため、溜まり部に汁を溜めたあと、小割けされているそれぞれの麺を溜まり部に溜めた汁に浸すことで、初めて、麺と汁がなじんで食べやすくなるのであった。
【０００３】
【発明が解決しようとする課題】
一般的に冷やしそばや冷やしうどんと呼ばれており、プラスチック容器に入れられ、添えられた別にパックされた汁につけて食べられる麺は、完全に乾燥しているわけでもなく、表面が濡れているわけでもないので、麺の表面がべとべとしていて、麺と麺がくっついてからみやすいため小割けしておいた方が食べやすくなるが、ひとかたまりに小割けされていても箸でつまんだとき箸にくっついてつまみ出しにくく、汁を溜めている溜まり部まで運びにくかった。また、麺を十分溜まり部で汁に浸して、汁になじませないと食べにくく、つるつると喉ごしを楽しむ麺の食感が味わいにくかった。
【０００４】
【課題を解決するための手段】
従来、そばやうどんなどの麺は、プラスチック容器の内側を壁で仕切って小割けされていることが多く、別にパッケージされている汁を開封して麺の上にかけてもかけた部分に汁は溜まるだけであり、プラスチック容器の内側の汁を溜める溜まり部も壁で仕切られていてパッケージを開封して汁を溜める部分に流し込んでも小割け部の麺と直接触れることはなく、小割けされている麺に汁をかけて麺をほぐしやすくすることはできなかったのである。そこで、プラスチック容器の内側を仕切っている仕切り壁のうち、それぞれの小割け部の上から汁をかけたとき、かけた汁を集水して溜まり部に溜めることを遮る仕切り壁を削除するとともに、プラスチック容器の底面を溜まり部側に向かって低く傾斜をつけて、それぞれの小割け部の麺の上から汁をかけると、麺にからまなかった汁は麺の下に落ちプラスチック容器の底面を傾斜している低い方に向かって流れて行き、汁を集水して溜める溜まり部に流れ込んで溜まるのであり、一度汁がかかった麺は、麺どうしがからみつきにくくなっており、箸でつまんで出しやすく、溜まり部の汁に浸して食べることでつるつるとした食感を味わいながら食べやすくなるのである。
【０００５】
【発明の実施の形態】
本発明は、汁をかけるだけですぐ食べることができ、一般的に冷やしそばや冷やしうどんと呼ばれる麺を入れている容器の形状を変えることにより、さらに食べやすくするものである。
【０００６】
容器は、そばやうどんなど麺を入れておくので、従来から使用されている食品を入れておくのに適した主にプラスチック容器にすると、麺が触れても、安全性が高く、麺の表面がべたついていても剥がれやすいので効果的である。
【０００７】
本発明は、容器の中で、麺を入れている部分と汁を溜めておく部分が分かれているような場合に使用すると便利であるので、小割けそばや小割けうどんのように麺が小割けされている容器に使用すると効果的である。
【０００８】
従来は、麺が小割けされて入れられている小割け部がそれぞれ仕切り壁で仕切られているため、麺の上から汁をかけた場合、汁は、他の小割け部にも流れ込まないが、溜まり部にも流し込むことができず、上からかけた小割け部にのみ溜まるのであり、本発明では、麺を入れているそれぞれの小割け部から汁を溜まり部に流れ出させることを遮る仕切り壁を削除させるのである。
【０００９】
麺を入れている小割け部の仕切り壁を削除するとき、それぞれの小割け部の上から流し込んだ汁が汁を集水して溜める溜まり部になるべく多くの汁を溜めることができるように、溜まり部へ汁が流れ込むことを遮っている仕切り壁を削除すると効果的である。
【００１０】
汁をかけるときは、小割け部の麺の上から先に一度だけかけることができれば良く、麺の上からかけられた汁のほとんどは、麺を通り越して、プラスチック容器の底面に達するので、底面に達した汁が小割け部のその場に滞らず、溜まり部に向かって流れ出すことができるように仕切り壁を削除するのである。
【００１１】
プラスチック容器の底面が水平であれば、小割けされている麺の上から汁をかけただけでは、仕切り壁が削除されていても、溜まり部に向かって流れ出す量が減少し、溜まり部に溜まる汁の量が少量になるため、プラスチック容器の底面に傾斜をつけるのである。
【００１２】
プラスチック容器の底面に傾斜をつけるときは、溜まり部側に向かって低くなるように傾斜をつけることにより、麺の上から汁をかけると、汁のほとんどは麺を通り越して、プラスチック容器の底面に達し、傾斜している低い方に流れ、仕切り壁は削除しているので遮られることなく溜まり部に流れ込むようになるのである。
【００１３】
プラスチック容器に麺の小割け部を設け、汁の溜まり部を作るとき、中央部に溜まり部を設ける場合は、溜まり部の周囲に麺の小割け部を設け、溜まり部側の仕切り壁を削除して、仕切り壁を削除して開いている溜まり部側に向かって底面を低く傾斜させることで、麺とは別にパッケージしている汁を開封して、小割けされた麺の上から先にかけると自然に中央部に設けた溜まり部にほとんどの汁が集まってきて溜めることができ効果的である。
【００１４】
また、汁の溜まる溜まり部をプラスチック容器の中央部ではなくて、端部側に作るときも、麺の上に汁をかけると、溜まり部に向かって汁が流れ込むように仕切り壁を削除し、底面を傾斜させることにより、端部に設けた溜まり部に汁を溜めることができるのである。
【００１５】
小割け部を、プラスチック容器の端部のへりと溜まり部との間で一重に設けてあるときは、削除する仕切り壁は、溜まり部側だけで良いが、二重以上に設けてあるときは、溜まり部側の仕切り壁を削除することに加えて、外側に位置している小割け内部にかけた汁も内側の小割け部を通過させて溜まり部に流さなければならないので、内側に位置している小割け部側の仕切り壁は、両面削除した方が良いのである。
【００１６】
仕切り壁を削除するときは、削除する必要のある仕切り壁面を全て削除した方が、先に麺の上からかけた汁が、麺を通り越して底面に達したあと、溜まり部に流し込みやすくなるので効果的だが、せっかく小割けされた麺と麺が輸送時に接触してプラスチック容器の中でくっつき、からみあうことを防ぐために、仕切り壁面の全てを削除しないで、くし形に削除したり、一部を残しても良いのである。
【００１７】
また、仕切り壁を削除しないで、仕切り壁に穴部を設けて、トンネルを作り、そのトンネルから、先に麺の上からかけた汁が小割け部から溜まり部側へ流れ出すようにしても良いのである。
【００１８】
【実施例】
実施例について図面を参照して説明すると、図１において、主に、プラスチックなどの樹脂を用い、そばなどの麺（６）と、麺（６）とは別にパッケージされた汁（７）や薬味を入れて提供される容器（１）の内側に、仕切り壁（２）で、小割け部（４）と溜まり部（５）を設けるとき、中央部に溜まり部（５）を作り、溜まり部（５）の周囲を取り囲むように小割け部（４）を一重に設けた場合の実施例であり、溜まり部（５）と接している側の仕切り壁（２）を削除して削除部（３）を設けるとともに、小割け部（４）の底面を溜まり部（５）側が低くなるように傾斜させる。
【００１９】
図２では、容器（１）の中央部付近に汁（７）の溜まり部（５）を設け、その周囲を取り囲むように小割け部（４）を一重に設けた場合の断面図であり、小割け部（４）と小割け部（４）、小割け部（４）と溜まり部（５）を仕切っている仕切り壁（２）のうち、それぞれの小割け部（４）と溜まり部（５）を仕切っている仕切り壁（２）を削除して削除部（３）を設けるとともに、底面について、容器（１）のへり側を高くし、仕切り壁（２）を削除した削除部（３）側を低くして、溜まり部（５）に向かって底面が低くなるように傾斜させることにより、汁（７）を小割けされたそばなどの麺（６）の上からかけると、汁（７）のほとんどは麺（６）に接触したあと麺（６）を通り越し、小割け部（４）の底面に達し、底面の傾斜に従って溜まり部（５）に流れ込むのである。
【００２０】
図３では、容器（１）の中央部付近に溜まり部（５）を設け、その周囲を取り囲むように一重に小割け部（４）を設けた場合の正面図であり、小割け部（４）に麺（６）が小割けされ、溜まり部（５）には、当初、ビニールなどで密封された汁（７）が麺（６）とは別にパッケージされて提供されているのである。汁（７）のパッケージを開封し、小割けされている麺（６）の上からかけると、かけられた汁（７）は麺（６）と接触するがそのほとんどは、麺（６）を通り越し、小割け部（３）の底面に達し、底面の傾斜に従って、仕切り壁（２）を削除している削除部（３）を通って、溜まり部（５）に流れ込ませて溜めることができ、小割け部（４）に小割けされていた麺は、そのままだと表面がべとついているが、一度汁（７）をかけられているので、小割け部（４）内の麺（６）どうしはほぐれやすく、つまんだ箸にもくっつきにくく、溜まり部（５）に溜められた汁（７）に浸してもなじみやすく食べやすくなるのである。
【００２１】
図４では、容器（１）を持ったとき、溜まり部（５）の位置を手前側に設けた場合の参考実施例図であり、溜まり部（５）に近い手前の小割け部（４）を仕切っている仕切り壁（２）は削除して削除部（３）を設け、手前の小割け部（４）と外側の小割け部ｂ（８）を仕切っている仕切り壁（２）のうち、左右の仕切り壁（２）は、そのまま残しても良いが、溜まり部（５）に向かって後方の仕切り壁（２）を削除して削除部（３）を設けるとともに、底面を溜まり部（５）に向かって、最後方側を高くし、手前の溜まり部（５）側が低くなるように傾斜させることにより、小割けされた麺（６）のどの小割け部（４）の上から汁（７）をかけても、汁（７）のほとんどは、麺（６）を通り越し、底面の傾斜に従って、溜まり部（５）に流れ込ませて溜めることができるのである。
【００２２】
小割け部（４）が、溜まり部（５）に向かって一重に設けられている場合は、手前の溜まり部（５）と小割け部（４）とを仕切っている仕切り壁（２）だけを削除すれば良いが、図４で示すように、小割け部（４）が、溜まり部（５）に向かって二重に設けられている場合は、溜まり部（５）と手前の小割け部（４）を仕切っている仕切り壁（２）に加えて、手前の小割け部（４）と外側の小割け部ｂ（８）を仕切っている後方の仕切り壁（２）も削除して削除部（３）を設けなければ、溜まり部（５）から離れた位置にある後方の小割け部ｂ（８）にかけられた汁（７）を溜まり部（５）に流れ込ませることができないのであり、溜まり部（５）に対して、三重以上に小割け部（４）を設ける場合も、同じ要領で仕切り壁（２）を削除すれば良いのである。
【００２３】
容器（１）の底面を傾斜させていなくても、小割け部（４）の麺（６）の上から先に汁（７）をかけたあと、容器（１）を傾ければ、小割け部（４）にかけられた汁（７）は、仕切り壁（２）を削除しておくだけで、溜まり部（５）に汁（７）をある程度溜めることはできるが、溜まり部（５）に向かって底面が低くなるように傾斜を設けておくことで、小割け部（４）にかけられた汁（７）のほとんどを、自然と、溜まり部（５）に流れ込ませて溜めることができるようになるので効果的である。
【００２４】
仕切り壁（２）を削除するとき、先に小割け部（４）にかけたほとんどの汁（７）を、溜まり部（５）に流れ込ますことができれば、削除が必要な仕切り壁（２）面を全て削除しても、一部、或いは、くし形に削除して削除部（３）を設けても良いのである。
【００２５】
図５では、容器（１）の中央部付近に溜まり部（５）を設け、周囲に小割け部（４）を設けた場合の小割け部（４）と溜まり部（５）を仕切っている仕切り壁（２）下部に穴部（７）を設けるとともに、底面を溜まり部（５）側に向かって低く傾斜させることにより、小割け部（４）に小割けされた麺（６）の上からかけた汁（７）を穴部（７）から溜まり部（５）へ流し込む内容を示す参考実施例図である。
【００２６】
本発明は、小割け部（４）に小割けされた麺（６）の上から、汁（７）を先にかけても、汁（７）を溜まり部（５）に流れ込ませることを目的としており、必要に応じた仕切り壁（２）の削除と、底面の傾斜により目的が達せられれば容器（１）のデザインやレイアウトを問うものではないのである。
【００２７】
【発明の効果】
本発明は、以上述べて来たような内容で実施され、以下に記載されるような効果を奏する。
【００２８】
小割けされている麺の上から汁をかけても、汁のほとんどは、最終的にもともと汁を溜める溜まり部に流れ込んで溜まるので、汁は、まず、麺の上にかけることができるのである。
【００２９】
別にパッケージされている汁を開封して小割けされている麺の上からまんべんなく汁を先にかけることできるので、麺と麺がくっついてからんでいたものがほぐれ、箸でつまみやすくなるのである。
【００３０】
小割け部の中で、麺と麺とがくっついてからみついている上から先に汁を一度かけておくので、食べやすくするために小割けされている麺をさらに食べやすくできるのである。
【００３１】
小割けされている麺の上から先に一度汁をかけているので、従来のように、汁を溜める溜まり部の汁の中へ麺を浸け、麺に汁を良くからませ、ほぐれるまで箸で麺を泳がせなくても、麺は、ほぐれやすく、汁にからみやすくなっているので便利である。
【００３２】
従来は、麺の表面のべとつきによって、つまんだ箸にからみついて、汁を溜める溜まり部まで運びにくかったが、小割けされている麺の上から先に一度汁をかけているので、箸でつまんで麺を汁の溜まっている部分までスムーズに運びやすくなるのである。
【００３３】
麺の表面のべとつきによって、プラスチック容器の表面ともくっついてしまって箸でつまんで取り出しにくかったが、先に一度麺の上から汁をかけるのでプラスチック容器の表面から剥がれやすく、小割け部から麺をつまみ出しやすくなるのである。
【００３４】
本発明は、小割け部に小割けされた麺と、汁を溜める溜まり部を有する容器で提供される麺類のほとんどに使用することができ便利である。
【００３５】
本発明は、従来の容器の主に内側の形状を変えるだけなので、従来使用していた樹脂を用い、成形時に金型を変えて成形するだけで良く量産性に影響はないのである。
【図面の簡単な説明】
【図１】本発明の斜視図である。
【図２】本発明の断面図である。
【図３】本発明の正面図である。
【図４】本発明の参考実施例図である。
【図５】本発明の参考実施例図である。
【符号の説明】
１　容器
２　仕切り壁
３　小割け部
４　溜まり部
５　麺
６　汁
７　穴部
８　小割け部ｂ
９　前後の仕切り壁ｂ
【図１】
2004091040.tif 000003
【図２】
2004091040.tif 000004
【図３】
2004091040.tif 000005
【図４】
2004091040.tif 000006
【図５】
2004091040.tif 000007
【図６】
2004091040.tif 000008
【手続補正書】
【提出日】平成14年11月11日(2002.11.11)
【手続補正１】
【補正対象書類名】明細書
【補正対象項目名】図６
【補正方法】追加
【補正の内容】
【図６】本発明の参考実施例図である。